(57)【要約】      （修正有）【課題】仕掛品過剰や原材料または製品または商品在庫不足などの在庫状況を可視化でき、さらに在庫状況の経時変化を可視化できる倉庫の棚を模した模型を提供する。【解決手段】物品を保管する倉庫の棚を模した模型であって、実際の棚における各物品の置き場に対応した該模型の各棚段の各区画をそれぞれ左右に２分割する間仕切り１を設け、該間仕切り１の左側および右側のサブ区画２１、２２に物品の入庫数の累計量を表示する手段２および物品の出庫数の累計量を表示する手段３をそれぞれ設け、該左側サブ区画２１の少なくとも一部に在庫過少を示す識別色を表示する手段４を設け、該右側サブ区間２２の少なくとも一部に在庫過多を示す、識別色を表示する手段５をそれぞれ設ける。【選択図】図２
0003212007.tif 000002
【実用新案登録請求の範囲】
【請求項１】
物品を保管する倉庫の棚を模した模型であって、実際の棚における各物品の置き場に対応した該模型の各棚段の各区画をそれぞれ左右に２分割する間仕切り（１）を設け、該間仕切り（１）の左側および右側のサブ区画に物品の入庫数の累計量を表示する手段（２）および物品の出庫数の累計量を表示する手段（３）をそれぞれ設け、該左側サブ区画の少なくとも一部に在庫過少を示す識別色を表示する手段（４）を設け、該右側サブ区間の少なくとも一部に在庫過多を示す、識別色を表示する手段（５）をそれぞれ設けることを特徴とした倉庫の棚を模した模型。
【請求項２】
該入庫数の累計量および該出庫数の累計量の表示および該識別色の表示を入庫数または出庫数の時間的変化に応じて切り替える手段を有するコンピュータと請求項１に記載の倉庫の棚を模した模型とを備えるシステム。
【考案の詳細な説明】
【技術分野】
【０００１】  本考案は、在庫管理や仕入発注の対象となる物品を保管する倉庫の棚の模型に関するものである。
【背景技術】
【０００２】  在庫管技術として、例えば特許文献１に示すような、コンピュータネットワークによるデータ処理手法を用いて在庫水準の適正化を図るシステムがある。【０００３】  仕入発注管理技術として、例えば特許文献２に示すような、コンピュータネットワークによる実績データに基づく予測数量算出手法を用いて仕入発注数量の適正化を図るシステムがある。
【先行技術文献】
【特許文献】
【０００４】
【特許文献１】特開２００７−１４０７８５号  公報
【０００５】
【特許文献２】特開平７−２３９８８４  公報
【考案の概要】
【考案が解決しようとする課題】
【０００６】  在庫管理や仕入発注管理においては、倉庫における原材料や商品の在庫の最新状況の把握が必要となる。この状況把握のためには、管理対象となる物品が保管されている倉庫を実地検分し、棚卸作業を通じて数量データ取得を行い、取得したデータが入力され、入力されたデータを処理するコンピュータシステムにより出力される数値データを在庫管理担当者または仕入管理担当者が確認していた。【０００７】  担当者が倉庫の物品在庫状況について、将来予測を含めて認識する際の数値データ認識能力には担当者間で個人差があり、また担当者の繁忙感など業務状況による数値データ認識能力の好不調が生じる。この認識能力のばらつきにより、過剰仕入や原材料または商品在庫不足の対応に遅れが生じる課題があった。
【課題を解決するための手段】
【０００８】  上記課題に鑑み、本考案は、物品倉庫の棚を模型化し、物品在庫状況を可視化することにより担当者の物品在庫状況の認識ばらつきを抑制し、前述の課題を解決しようとするものである。具体的には模型上に該物品の入庫数の累計量および出庫数累計量を表示し、該入庫数および出庫数の累計量の差異評価に基づく過少在庫あるいは過大在庫の識別色の表示を行うことにより課題の解決手段としている。さらに在庫状況の経時変化について、入庫予定および出庫予定に基づき、コンピュータシステムを用いて模型上に表示される該入庫数および出庫数の累計量および該過少在庫あるいは過大在庫の識別色の時間経過に伴う変化を表示することにより課題の解決手段としている。
【考案の効果】
【０００９】  上述の様に、本考案の倉庫の棚の模型は、仕掛品過剰や原材料または製品または商品在庫不足などの在庫状況を可視化でき、さらに在庫状況の経時変化を可視化できるため、担当者の個人能力のばらつきに大きく影響されず、状況把握ができる。これにより企業組織全体の仕掛品や倉庫在庫の状況変化への対応力が向上し、企業の財務指標、例えば棚卸資産回転率の改善が期待される。
【図面の簡単な説明】
【００１０】
【図１】本考案の倉庫の棚の模型の一実施例を示す模式図である。
【図２】本考案の倉庫の棚の模型の一実施例における一区画を示す模式図である。
【図３】本考案の倉庫の棚の模型の一実施例におけるサブ区画に表示する物品の入庫数および出庫数の累計量を示す模式図である。
【図４】本考案の倉庫の棚の模型の一実施例を示すチャート図である。
【図５】本考案の倉庫の棚の模型の時間経過に伴う変化を表示する一実施例を示す模式図である。
【考案を実施するための形態】
【００１１】  倉庫の棚の模型において、実際の棚における各物品の置き場に対応した該模型の各棚段の各区画をそれぞれ左右に２分割する間仕切りを設け、該間仕切りの左側および右側のサブ区画に物品の入庫数の累計量を表示する手段および物品の出庫数の累計量を表示する手段をそれぞれ設け、該左側サブ区画および該右側サブ区間の少なくとも一部にそれぞれ在庫過少あるいは在庫過多を示す識別色を表示する手段を設ける。
【００１２】  在庫管理および仕入発注管理の対象となる実際の棚における各物品について、定期的、例えば各月末に実施する棚卸作業により得られた各物品の数量を、本考案の模型の各左側サブ区画の入庫数累計量の初期値として表示する。また該棚卸作業時点での出庫数予定に基づき、本考案の模型の各右側サブ区間の出庫数累計量の初期値として表示する。
【００１３】  上述の初期値表示以降の各物品の入庫の予定または実績に応じて左側サブ区画の入庫数の累計量を更新し表示する。また各物品の出庫の予定または実績に応じて右側サブ区画の出庫数の累計量を更新し表示する。
【００１４】  上述の左側サブ区画の入庫数の累計量から右側サブ区画の出荷数の累計量を差し引いた数量がその区画に対応する物品の在庫量を示している。該在庫量が予め定めた下限範囲より少なくなった場合、該左側サブ区画に設けた識別色を表示する手段により在庫過少を示す識別色を表示する。また該在庫量が予め定めた上限範囲より多くなった場合、該右側サブ区間に設けた識別色を表示する手段におり在庫過多を示す識別色を表示する。
【００１５】  また、該入庫数の累計量および該出庫数の累計量の表示および該識別色の表示を入庫数または出庫数の時間的変化に応じて切り替える手段を有するコンピュータシステムを設け、在庫状況の経時変化に応じた識別色の変化を表示する。
【実施例】
【００１６】  以下、添付図面に沿って一実施例を説明する。図１に示す模式図のように、在庫管理や仕入発注の対象となる物品を保管する倉庫の棚を模した模型１１において、各棚の各区画に設けた間仕切り１により区分された左側サブ区画１２に該物品の入庫数の累計量を表示する手段２を、また右側サブ区画１３に該物品の出荷数の累計量を表示する手段３をそれぞれ設置する。【００１７】  図２は上述の区画について説明するための一区画の模式図である。前述の様に、左側サブ区画２１と右側サブ区画２２は間仕切り１により区分されており、それぞれのサブ区画に該物品の入庫数の累計量を表示する手段２と該物品の出荷数の累計量を表示する手段３を設置する。手段２と手段３には例えば着色されたプラスチック板を用いるが、これに限らず他の材料例えば木材、厚紙、金属を用いても良い。この累計量の表示手段については図３を用いてより具体的な説明を後述する。またそれぞれのサブ区画に該物品の在庫過多を示す識別色を表示する手段４と、在庫過少を示す識別色を表示する手段５を設置する。この識別色の表示手段として、本実施例では脱着可能な色付きのプラスチック板を用いるが、これに限らず他の手段を用いてもよい。【００１８】  図３は上述の該物品の入庫数および出庫数の累計量を表示する手段の説明模式図である。３２１、３２２、３２３は左側サブ区画に設けた入庫数の累計量を表示する手段であり、３３１、３３２、３３３、３３４は右側サブ区画に設けた出庫数の累計量を表示する手段である。３２１は前月末の棚卸結果に基づく物品の在庫数量１００単位を表し、３２２は今月仕入れた物品の入庫数量１００単位を表す。３２３は、３２１および３２２と異なる色で表現した来月仕入予定の物品の入庫数量２００単位を表す。３３１は前月末の棚卸時点で予定されていた今月の出庫数量１００単位を表し、３３２および３３３は３３１と異なる色で表現した来月予定する出庫数量１００単位および１５０単位をそれぞれ表す。３３４は３３１、３３２、３３３と異なる色で表現した再来月予定する出庫数量１５０単位を表す。再来月までの間でこの区画に対応する物品の入庫累計と出庫累計の差異はそれぞれの月において入庫累計の方がやや大きい状況となることが可視的に認識できる。【００１９】  上述の該区画における在庫過多または過少を占める識別色は図３には表記していないが、在庫過多ではないことを意味する白色のプラスチック板を左側サブ区間に着け、在庫過少でないことを意味する白色のプラスチック板を右側サブ区間に着ける。もし、再来月までの期間で入庫累計と出庫累計の差異評価において、予め定めた基準を超える在庫過多が生じる場合は、左側サブ区間に在庫過多を意味するオレンジ色のプラスチック板を着け、もし予め定めた基準に満たない在庫過少が生じる場合は、右側サブ区間に在庫過少を意味するオレンジ色のプラスチック板を着ける。なおこの色の設定は本実施例に限定されるものではなく、他の色を選んでもよい。【００２０】  図４は本考案の倉庫の棚の模型の一実施例を示すチャート図である。前述した一連の実施形態をまとめて下記に説明する。
まず４０１にて前月末の実地棚卸に基づく各物品の在庫数量確定を行う。次に４０２にて該棚卸結果に基づき左側サブ区画の入庫数累計の初期化表示を、４０３にて右側サブ区画の出庫数累計の初期化表示をそれぞれ行う。
４０４にて仕入発注に基づく物品の入庫数量の予定が発生した都度、４０５にて左側サブ区画の入庫数累計の更新表示を行う。
４０６にて販売受注または生産計画に基づく物品の出庫数量の予定が発生した都度、４０７にて右側サブ区画の出庫数累計の更新表示を行う。
４０８にて左側サブ区画の入庫数累計と右側サブ区画の出庫数累計の差異評価を行い、４０９にて差異評価に基づく在庫過少または過多の識別色の表示または非表示を行う。
次の棚卸実施までは、４１０にて仕入発注情報、および４１１にて販売受注または生産計画情報のそれぞれ更新をチェックし、更新情報が有れば、それぞれ４０４または４０６に戻り、それぞれ上記の出庫数または入庫数累計を更新表示を行い、さらに上記の識別職の表示または非表示を行う。
４１２にて棚卸実施時期が到来するまでは、上記仕入発注情報または販売受注情報のチェック４１０および４１１を繰り返す。４１２にて月末の実地棚卸時期に至れば、４１３にて棚卸を実施し、冒頭の４０１に戻る。【００２１】  図５は本考案の倉庫の棚の模型の時間経過に伴う変化を表示する一実施例を示す模式図である。在庫管理や仕入発注の対象となる物品の入庫および出庫の実績数量および予定数量データをコンピュータ端末５３により蓄積するデータベース５２にアクセスし、本考案の模型に表示する入庫および出庫累計数量、および在庫過多および過少を表す識別色を該データの持つ時間情報を含めて演算処理し、該模型への表示を制御するコンピュータシステムによる手段５１を該模型に接続して設ける。これにより例えば、当月の在庫状況５０１、来月の在庫状況５０２、再来月の在庫状況５０３を可視的に認識することができる。図５には表記していないが、本実施例では模型への入庫および出庫累計数量、および在庫過多および過少を表す識別色の表示手段として模型に組み込んだ液晶表示装置を用いるが、これに限らず他の手段を用いてもよい。
【符号の説明】
【００２２】  １・・・間仕切り
２・・・入庫数の累計量を表示する手段
３・・・出庫数の累計量を表示する手段
４・・・在庫過少を示す識別色を表示する手段
５・・・在庫過多を示す識別色を表示する手段
【図１】
0003212007.tif 000003
【図２】
0003212007.tif 000004
【図３】
0003212007.tif 000005
【図４】
0003212007.tif 000006
【図５】
0003212007.tif 000007